(57)【要約】【課題】  無接点充電される装置において、誘電加熱を防ぐこと。【解決手段】  筐体３１が有するのは、表面である。表面の一部領域は、その背後にコイル３４が配置されている。当該一部領域の想定範囲は、領域ＡＲの一部又は全部である。当該一部領域は、加工されており、それによって、メタルシールが貼り難くなっている。加工方法は、次の何れかである。（Ａ）当該一部領域は、突起している（突起３１ａ）。（Ｂ）当該一部領域は、粗く、滑らかでない（粗面３１ｂ）。（Ｃ）当該一部領域は、その周囲よりも盛り上がっている（隆起部３１ｃ）。（Ｄ）当該一部領域は、その周囲よりも窪んでいる（窪み３１ｄ）。これらの加工によって、メタルシールは、剥がれやすくなるので、誘電加熱されない。【選択図】  図４
2013243813.tif 000002
【特許請求の範囲】
【請求項１】
装置であって、
この装置は、無接点充電され、
この装置を構成するのは、コイル及び筐体であり、
前記コイルの機能は、起電であり、
前記筐体が有するのは、表面であり、前記表面の一部領域は、その背後に前記コイルが配置されており、前記一部領域又はその近傍は、加工されており、それによって、金属性の装飾シールが貼り難くなっている、もの。
【請求項２】
請求項１の装置であって、
前記一部領域の形状は、凹凸である、もの。
【請求項３】
請求項１の装置であって、
前記一部領域は、粗く、滑らかでない、もの。
【請求項４】
請求項１の装置であって、
前記一部領域が有するのは、突起である、装置。
【請求項５】
請求項１の装置であって、
前記一部領域は、曲がっている、もの。
【請求項６】
請求項５の装置であって、
前記一部領域は、その周囲よりも盛り上がっている、もの。
【請求項７】
請求項５の装置であって、
前記一部領域は、その周囲よりも窪んでいる、もの。
【発明の詳細な説明】
【技術分野】
【０００１】
本発明が関係するのは、無接点（ワイヤレス）充電される装置である。より詳しくは、スマートフォン、携帯電話やポータブルナビゲーション装置等である。
【背景技術】
【０００２】
近年流通しているのは、無接点充電される装置である。その技術を開示するのは、特許文献１及び特許文献２である。これらの文献が開示する無接点充電システムを構成するのは、端末及び充電装置である。端末を構成するのは、充電コイル及び筐体である。充電コイルの機能は、起電である。起電の原理は、電磁誘導である。充電コイルの設置場所は、筐体内側である。筐体の背面が有するのは、凹部である。凹部の機能は、後述する位置決めである。凹部の位置は、充電コイルの中心の同軸上である。他方、充電装置を構成するのは、電力供給コイル及び装置本体である。電力供給コイルの機能は、励磁である。励磁の原理は、電磁誘導である。電力供給コイルが設けられているのは、装置本体内である。装置本体の表面が有するのは、凸部である。凸部の位置は、電力供給コイルの中心の同軸上である。凸部の機能は、位置決めである。つまり、凸部の挿入先を凹部とすることで、電力供給コイルの位置が充電コイルの中心の同軸上となる。その結果、充電効率は向上する。
【０００３】
従前から流通しているのは、金属性の装飾シール（以下、メタルシールという）である。例示すると、金属板であって粘着材が付されたものやアルミ性シール等である。一般的に、メタルシールが貼られるのは、端末の背面である。
【０００４】
当該装飾された端末が無接点充電される場合、メタルシールが発熱する。その原理は、いわゆる誘電加熱である。メタルシールが達する温度は、約１８０度である。その結果、携帯装置又は充電装置は変形する。
【０００５】
そこで必要なのは、誘電加熱を防ぐための技術である。当該技術を開示するのは、特許文献３及び特許文献４である。これらの文献が開示する充電装置を構成するのは、検出回路及び制御回路である。検出回路の機能は、金属異物の検出である。制御回路の機能は、充電の抑制である。充電が抑制されるのは、金属異物が検出された時である。
【先行技術文献】
【特許文献】
【０００６】
【特許文献１】特開２００８−１４１９４０号公報
【特許文献２】特開２００８−２３６８８６号公報
【特許文献３】国際公開第２０１２／００２０６３号
【特許文献４】特開２０１１−２０５８１９号公報
【発明の概要】
【発明が解決しようとする課題】
【０００７】
前述の公知技術において重要なのは、如何にして検出精度を向上させるかである。しかし、仮に検出精度が向上しても、困難なのは、検出漏れをゼロにすることである。しかも、メタルシールの温度が約１８０度になるまでに要する時間は、約３秒程度である。つまり、誘電加熱を防ぐために大切なのは、如何にしてメタルシールを貼付させないかである。
【課題を解決するための手段】
【０００８】
本発明に係る無接点充電される装置を構成するのは、コイル及び筐体である。筐体表面の一部領域は、その背後にコイルが配置されている。当該一部領域又はその近傍は、加工されており、それによって、メタルシールが貼り難くなっている。加工が含む概念は、成形及び取付けである。加工方法を決定する基準は、以下で掲げる原理の少なくとも１つである。
【０００９】
メタルシールを貼り難くする条件は、接着力が不足することである。ここで、接着とは、メタルシール及び筐体を互いに引き付けることである（分子間力）。接触面積が少ない、接着力は低くなる。
【００１０】
メタルシールを貼り難くする条件は、接着力より復元力が大きいことである。ここで、復元とは、メタルシールの状態が曲がった状態から平らな状態になることである。
【００１１】
これらの原理の下で採用されるのは、一部領域を凹凸させること、粗く滑らかでなくすること、一部領域を曲げることや突起させること等である。
【００１２】
以上の説明が前提とするのは、無接点充電の原理が電磁誘導方式である場合であるが、電波方式や電磁界共鳴方式等の他の方式も本発明が排除するものではない。
【発明の効果】
【００１３】
筐体表面の一部領域は、その背後にコイルが配置されている。当該一部領域は、加工されており、それによって、メタルシールが貼り難くなっている。つまり、メタルシールが殆ど誘電加熱されないので、筐体の変形を防ぐことができる。
【図面の簡単な説明】
【００１４】
【図１】本実施の形態に係る無接点充電システムの斜視図。
【図２】本実施の形態に係る情報処理装置の正面図。
【図３】本実施の形態に係る情報処理装置の背面図。
【図４】（Ａ）本実施の形態に係る情報処理装置の一例のＡ‐Ａ断面図（Ｂ）本実施の形態に係る情報処理装置の一例のＡ‐Ａ断面図（Ｃ）本実施の形態に係る情報処理装置の一例のＡ‐Ａ断面図（Ｄ）本実施の形態に係る情報処理装置の一例のＡ‐Ａ断面図。
【発明を実施するための形態】
【００１５】
図１は、本実施の形態に係る無接点充電システムの斜視図である。無接点充電システム１０を構成するのは、充電器２０及び情報処理装置３０である。充電器２０が発生するのは、磁力Ｈである。磁力Ｈを受けるのは、情報処理装置３０である。これによって、情報処理装置３０は無接点充電される。
【００１６】
充電器２０の詳細な技術内容を開示するのは、国際公開第２０１２／００２０６３号、特開２０１１−２０５８１９号公報、特開２０１２−３９６８２号公報及び特開２０１２−６５５３７号公報である。これらの技術内容は、適宜取込まれ、本願明細書の一部とする。
【００１７】
図２は、本実施の形態に係る情報処理装置３０の正面図である。図３は、本実施の形態に係る情報処理装置３０の背面図である。情報処理装置３０を主に構成するのは、筐体３１、画面３２、電池３３、コイル３４及びである。
【００１８】
筐体３１は、樹脂であって加工されたものである。その機能は、収納である。収納されるのは、各電子部品である。
【００１９】
画面３２は、電子部品である。その機能は、表示である。表示されるのは、各種情報である。画面３２が配置されるのは、筐体３１の正面である。画面３２の例示は、液晶ディスプレイや有機ＥＬディスプレイ等である。
【００２０】
電池３３は、電子部品である。その機能は、給電である。給電されるのは、各電子部品である。電池３３が配置されるのは、筐体３１の内部である。このとき、電池３３は、取外し可能である。電池３３の例示は、リチウムイオン電池等である。
【００２１】
コイル３４は、電子部品である。その機能は、起電である。起電が生じる条件は、磁力Ｈが貫通することである。コイル３４が接続される先は、電池３３である。つまり、磁力Ｈが貫通すると、電池３３が充電される。コイル３４が配置されるのは、筐体３１の内部である。
【００２２】
その他付随的な技術の内容を開示するのは、特開２００８−１４１９４０号公報及び特開２００８−２３６８８６号公報である。これらの技術内容は、適宜取込まれ、本願明細書の一部とする。
【００２３】
図４は、本実施の形態に係る情報処理装置のＡ‐Ａ断面図である。筐体３１が有するのは、表面である。表面の一部領域は、その背後にコイル３４が配置されている。本実施の形態において、当該一部領域の想定範囲は、領域ＡＲの一部又は全部である。当該一部領域は、加工されており、それによって、メタルシール（図示せず）が貼り難くなっている。加工方法は、次のとおりである。
【００２４】
図４（Ａ）が示すのは、当該一部領域が突起しているものである。そのような突起３１ａを設けるための好ましい方法は、樹脂成形である。もちろん、突起３１ａは、別途取り付けられても良い。突起３１ａは、凹凸の一種ともいいうる。当該実施の形態では、突起３１ａが支点となって、貼られたメタルシールは撓む。撓んだメタルシールは、復元する。また、接着面積が小さいので、接着力が弱まり易い。つまり、メタルシールは、剥がれやすくなる（貼り難い）ので、誘電加熱されない。
【００２５】
図４（Ｂ）が示すのは、当該一部領域が粗く、滑らかでないものである。そのような粗面３１ｂを設けるための好ましい方法は、いわゆるエンボス加工である。もちろん、粗目の樹脂を貼り付ける方法も妨げられない。当該実施の形態では、粗面３１ｂとメタルシールとの接着面積は、相対的に小さい。その比較基準は、平滑面とメタルシールとの接着面積である。つまり、メタルシールは、剥がれやすくなる（貼り難い）ので、誘電加熱されない。
【００２６】
図４（Ｃ）が示すのは、当該一部領域を曲げたものである。当該実施の形態において、当該一部領域は、その周囲よりも盛り上がっている。そのような隆起部３１ｃを設けるための好ましい方法は、樹脂成形である。隆起部３１ｃが支点となって、貼られたメタルシールは撓む。撓んだメタルシールは、復元する。また、接着面積が小さいので、接着力が弱まり易い。つまり、メタルシールは、剥がれやすくなる（貼り難い）ので、誘電加熱されない。
【００２７】
図４（Ｄ）が示すのは、当該一部領域を曲げたものである。当該実施の形態において、当該一部領域は、その周囲よりも窪んでいる。そのような窪み３１ｄを設けるための好ましい方法は、樹脂成形である。当該実施の形態では、筐体３１の背面とメタルシールとの接着面積は、相対的に小さい。その比較基準は、窪んでいない場合の接着面積である。つまり、メタルシールは、剥がれやすくなる（貼り難い）ので、誘電加熱されない。
【産業上の利用可能性】
【００２８】
本発明が利用可能な製品は、無接点充電される装置であって、より具体的には、スマートフォン、携帯電話やポータブルナビゲーション装置等である。
【符号の説明】
【００２９】
３０    情報処理装置
３１    筐体
３１ａ  突起
３１ｂ  粗面
３１ｃ  隆起部
３１ｄ  窪み
３４    コイル
【図１】
2013243813.tif 000003
【図２】
2013243813.tif 000004
【図３】
2013243813.tif 000005
【図４】
2013243813.tif 000006
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
装置であって、
この装置は、無接点充電され、
この装置を構成するのは、コイル及び筐体であり、
前記コイルの機能は、起電であり、
前記筐体が有するのは、表面であり、前記表面の一部領域は、その背後に前記コイルが配置されており、
この装置を装飾するために、金属性の装飾シールが流通している、ものにおいて、
前記一部領域又はその近傍は、加工されており、当該加工の目的は、前記装飾シールを貼り難くすることである、もの。
【請求項２】
請求項１の装置であって、
前記一部領域の形状は、凹凸である、もの。
【請求項３】
請求項１の装置であって、
前記一部領域は、粗く、滑らかでない、もの。
【請求項４】
請求項１の装置であって、
前記一部領域が有するのは、突起である、もの。
【請求項５】
請求項１の装置であって、
前記一部領域は、曲がっている、もの。
【請求項６】
請求項５の装置であって、
前記一部領域は、その周囲よりも盛り上がっている、もの。
【請求項７】
請求項５の装置であって、
前記一部領域は、その周囲よりも窪んでいる、もの。
【請求項８】
請求項１の装置であって、
前記一部領域が有するのは、１つの突起である、もの。
【請求項９】
請求項１の装置であって、
前記一部領域又はその近傍は、エンボス加工されている、もの。
【請求項１０】
請求項１乃至９の何れかの装置であって、
この装置を更に構成するのは、画面であり、
前記表面を構成するのは、正面及び背面であり、
前記画面が配置されているのは、前記正面であり、
前記一部領域が設けられているのは、前記背面である、もの。
【手続補正２】
【補正対象書類名】明細書
【補正対象項目名】０００９
【補正方法】変更
【補正の内容】
【０００９】
メタルシールを貼り難くする条件は、接着力が不足することである。ここで、接着とは、メタルシール及び筐体を互いに引き付けることである（分子間力）。接触面積が少ないので、接着力は低くなる。
【手続補正３】
【補正対象書類名】明細書
【補正対象項目名】００１７
【補正方法】変更
【補正の内容】
【００１７】
図２は、本実施の形態に係る情報処理装置３０の正面図である。図３は、本実施の形態に係る情報処理装置３０の背面図である。情報処理装置３０を主に構成するのは、筐体３１、画面３２、電池３３、及びコイル３４である。
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
装置であって、
この装置は、無接点充電され、
この装置を構成するのは、コイル及び筐体であり、
前記コイルの機能は、起電であり、
前記筐体が有するのは、表面であり、前記表面の一部領域は、その背後に前記コイルが配置されており、
この装置を装飾するために、金属性の装飾シールが流通している、ものにおいて、
前記一部領域又はその近傍は、加工されており、当該加工の目的は、前記装飾シールを貼り難くすることである、もの。
【請求項２】
請求項１の装置であって、
前記一部領域の形状は、凹凸である、もの。
【請求項３】
請求項１の装置であって、
前記一部領域は、粗く、滑らかでない、もの。
【請求項４】
請求項１の装置であって、
前記一部領域が有するのは、突起である、もの。
【請求項５】
請求項１の装置であって、
前記一部領域は、曲がっている、もの。
【請求項６】
請求項５の装置であって、
前記一部領域は、その周囲よりも盛り上がっている、もの。
【請求項７】
請求項１の装置であって、
前記一部領域が有するのは、１つの突起である、もの。
【請求項８】
請求項１の装置であって、
前記一部領域又はその近傍は、エンボス加工されている、もの。
【請求項９】
請求項１乃至８の何れかの装置であって、
この装置を更に構成するのは、画面であり、
前記表面を構成するのは、正面及び背面であり、
前記画面が配置されているのは、前記正面であり、
前記一部領域が設けられているのは、前記背面である、もの。